(57)【要約】      （修正有）【課題】水田の暗渠排水あるいは土中灌水施設に用いられる水位調整水閘を提供する。【解決手段】水閘チーズ４の内部に一端を排水管接続部２の内壁に連結され、他端を立上管接続部３に開口された屈曲室８と、屈曲室８にねじ込み部材１０を介して下端を液密に接続され、水閘立上管５内に同心円状に配置されたテレスコープ式の水位調整スライド短管１４、水位調整スライド中管１６、水位調整スライド長管１８、水位調整スライド管２０と、上端を開口状に保持する出入り部材２１と、出入り部材２１に設けた嵌合凹部２３と軸方向の外周に多数個の嵌合凸部２５を形成した操作桿２４との凹凸嵌合により長さ調節を図るため、高齢者や婦女子でも簡単に操作することができる。【選択図】図２
0003199537.tif 000002
【実用新案登録請求の範囲】
【請求項１】
水平方向の排水管接続部と垂直方向の立上管接続部を有するＴ字状の水閘チーズと、該水閘チーズの立上管接続部に固定立設された水閘立上管と、該水閘立上管の外周にシールパッキンを介して摺動自在に嵌合されたスライド管と、該スライド管の上端開口を閉塞するスライド管キャップとからなる水位調節水閘において、
前記水閘チーズの内部に一端を前記排水管接続部の内壁に連結され、他端を前記立上管接続部に開口された屈曲室と、該屈曲室に液密に接続される水位調整筒受け台座と、該水位調整筒受け台座に螺合される円筒状のねじ込み部材と、該ねじ込み部材の上部に形成された大径部と、該大径部の内側に嵌合される水位調整管と、該水位調整管の上部に外嵌固定された大径環状部材と、前記水位調整管の内部にスライド可能に挿入された同心円状の水位調整スライド短管と、該水位調整スライド短管の上部に外嵌固定された中径環状部材と、前記水位調整スライド短管の内部にスライド可能に挿入された円筒状の水位調整スライド中管と、該水位調整スライド中管の上部に外嵌固定された小径環状部材と、前記水位調整スライド中管の内部にスライド可能に挿入された円筒状の水位調整スライド長管と、該水位調整スライド長管の上部に外嵌固定された環状部材と、前記水位調整スライド長管の内部にスライド可能に挿入された水位調整スライド管と、該水位調整スライド管の上部に外嵌固定された出入り部材と、該出入り部材に用水の流出入孔部を設け、前記出入り部材には凹凸嵌合を行う嵌合凹部を設ける一方、操作桿には前記嵌合凹部に嵌合する多数個の嵌合凸部を軸方向に沿って設け、前記出入り部材に設けた嵌合凹部と前記操作桿の嵌合凸部の凹凸嵌合により長さ調節を図ることを特徴とする水位調整水閘。
【請求項２】
前記水位調節水閘において、前記出入り部材に設けた嵌合凹部と操作桿の嵌合凸部の凹凸嵌合に代えて、前記出入り部材の流出入孔部の上部に固定された円筒状のネジ部と、該ネジ部に螺合する袋ナットと、前記ネジ部及び袋ナットを挿通し、下端にアンカー部を固着した棒状の操作桿とからなり、前記水位調整スライド短管、水位調整スライド中管、水位調整スライド長管、水位調整スライド管を前記アンカー部によりスライド式に引き出し、前記ネジ部及び袋ナットにより長さ調節を図ることを特徴とする請求項１記載の水位調整水閘。
【考案の詳細な説明】
【技術分野】
【０００１】
本考案は、水田の暗渠排水あるいは土中灌水施設に用いられる水位調整水閘に関するものである。
【背景技術】
【０００２】
従来、湿田、乾田化の管理のために、暗渠排水用バルブを開いた状態では水田下の地中水が集水管内に吸水され、排水管及び継手管を通って排水路に排水され、乾田化が図られる。一方暗渠排水用バルブを閉じた状態では集水管からの排水が遮断されるので、地中水が水田下に止まり、湿田化が図られる。
しかし、従来の暗渠排水用バルブでは、立ち管の上端部および操作桿の上端部が畦畔において地上に突出するため、暗渠排水用バルブの上端部が畦畔における草刈りなどの作業の邪魔になると共に、農機具などにより暗渠排水用バルブを破損させてしまう恐れがあった。
【０００３】
そこで、作業の邪魔にならないと共に、農機具などにより破損させてしまうことを防止できる水位調整可能な暗渠排水用バルブが公知となっている（特許文献１を参照）。
この水位調整可能な暗渠排水用バルブは、水閘立上管内に同心円状に配置された蛇腹管と、該蛇腹管の上端を開口状に保持する操作桿ジョイントを下端に有し、該操作桿ジョイントに設けた袋ナットにより寸法目盛を形成した棒状体を上下調節自在にし、上端をスライド管内の上部取付溝に嵌合させた支持板により保持された操作桿とから構成された調節水閘である。
【０００４】
湿田、乾田化の管理のためには、スライド管キャップを開け、スライド管の上部取付溝から支持板を外し、前記操作桿を引き上げて前記スライド管の開口部位置まで操作桿ジョイントを引き上げる。そして前記操作桿ジョイントの袋ナットを緩めて寸法目盛に合わせて操作桿の長さ調節を行い、再び前記袋ナットを締めて前記操作桿に固定し、前記操作桿をスライド管に戻す。したがって、前記操作桿の長さ調節を行うことにより、蛇腹管の開口部位置を調節できるので、簡単に水位調節、すなわち湿田、乾田化の管理を行うことができるものである。
【０００５】
しかし、前記公知技術は、蛇腹管と袋ナットを使用しているため、蛇腹管の伸縮動作や袋ナットの係脱動作において、高齢者や婦女子にとっては、操作桿の長さ調節を行うことが容易ではなかった。
そのため、高齢者や婦女子でも簡単に操作できる水位調整可能な調節水閘が望まれていた。
【先行技術文献】
【特許文献】
【０００６】
【特許文献１】特開２００５−１６１９３号公報（図１を参照）
【考案の概要】
【考案が解決しようとする課題】
【０００７】
本考案は、水田の暗渠排水あるいは土中灌水施設に用いられる水位調整水閘を提供することを目的とする。
【課題を解決するための手段】
【０００８】
本考案の水位調整水閘は、水平方向の排水管接続部と垂直方向の立上管接続部を有するＴ字状の水閘チーズと、該水閘チーズの立上管接続部に固定立設された水閘立上管と、該水閘立上管の外周にシールパッキンを介して摺動自在に嵌合されたスライド管と、該スライド管の上端開口を閉塞するスライド管キャップとからなる水位調節水閘において、
前記水閘チーズの内部に一端を前記排水管接続部の内壁に連結され、他端を前記立上管接続部に開口された屈曲室と、該屈曲室に液密に接続される水位調整筒受け台座と、該水位調整筒受け台座に螺合される円筒状のねじ込み部材と、該ねじ込み部材の上部に形成された大径部と、該大径部の内側に嵌合される水位調整管と、該水位調整管の上部に外嵌固定された大径環状部材と、前記水位調整管の内部にスライド可能に挿入された同心円状の水位調整スライド短管と、該水位調整スライド短管の上部に外嵌固定された中径環状部材と、前記水位調整スライド短管の内部にスライド可能に挿入された円筒状の水位調整スライド中管と、該水位調整スライド中管の上部に外嵌固定された小径環状部材と、前記水位調整スライド中管の内部にスライド可能に挿入された円筒状の水位調整スライド長管と、該水位調整スライド長管の上部に外嵌固定された環状部材と、前記水位調整スライド長管の内部にスライド可能に挿入された水位調整スライド管と、該水位調整スライド管の上部に外嵌固定された出入り部材と、該出入り部材に用水の流出入孔部を設け、前記出入り部材には凹凸嵌合を行う嵌合凹部を設ける一方、操作桿には前記嵌合凹部に嵌合する多数個の嵌合凸部を軸方向に沿って設け、前記出入り部材に設けた嵌合凹部と前記操作桿の嵌合凸部の凹凸嵌合により長さ調節を図る。
【０００９】
前記水位調節水閘において、前記出入り部材に設けた嵌合凹部と操作桿の嵌合凸部の凹凸嵌合に代えて、前記出入り部材の流出入孔部の上部に固定された円筒状のネジ部と、該ネジ部に螺合する袋ナットと、前記ネジ部及び袋ナットを挿通し、下端にアンカー部を固着した棒状の操作桿とからなり、前記水位調整スライド短管、水位調整スライド中管、水位調整スライド長管、水位調整スライド管を前記アンカー部によりスライド式に引き出し、前記ネジ部及び袋ナットにより長さ調節を図る。
【考案の効果】
【００１０】
本考案の水位調整水閘は、水閘チーズの内部に一端を排水管接続部の内壁に連結され、他端を前記立上管接続部に開口された屈曲室と、該屈曲室にねじ込み部材を介して下端を液密に接続され、前記水閘立上管内に同心円状に配置されたテレスコープ式の水位調整スライド短管、水位調整スライド中管、水位調整スライド長管、水位調整スライド管と、上端を開口状に保持する出入り部材と、該出入り部材に設けた嵌合凹部と軸方向の外周に多数個の嵌合凸部を形成した操作桿との凹凸嵌合により上下調節自在に形成するため、高齢者や婦女子でも簡単に操作することができる。
【００１１】
本考案の水位調整水閘は、水閘チーズの内部に一端を排水管接続部の内壁に連結され、他端を前記立上管接続部に開口された屈曲室と、該屈曲室にねじ込み部材を介して下端を液密に接続され、前記水閘立上管内に同心円状に配置されたテレスコープ式の水位調整スライド短管、水位調整スライド中管、水位調整スライド長管、水位調整スライド管と、上端を開口状に保持する出入り部材と、該出入り部材の流出入孔部の上部に固定された円筒状のネジ部と、該ネジ部に螺合する袋ナットと、前記ネジ部及び袋ナットを挿通し、下端にアンカー部を固着した棒状の操作桿とからなり、前記アンカー部によりスライド式に引き出すことにより、前記流出入孔部の高さ位置がコントロールできるので、水位調整を無段階に行うことができる。
【図面の簡単な説明】
【００１２】
【図１】本考案の水位調整水閘の断面図である。
【図２】本考案の水位調整水閘の一部切断断面図である。
【図３】本考案の水位調整水閘の断面図である。
【図４】本考案の水位調整水閘の他の実施例の断面図である。
【図５】本考案の水位調整水閘の他の実施例の一部切断断面図である。
【図６】本考案の水位調整水閘の他の実施例の断面図である。
【考案を実施するための形態】
【００１３】
本考案の水位調整水閘の一実施例を添付図面に基づいて、以下に説明する。
図１の断面図に示すように、水位調節水閘１は、水平方向の排水管接続部２と垂直方向の立上管接続部３を有するＴ字状の水閘チーズ４と、該水閘チーズ４の立上管接続部３に固定立設された水閘立上管５と、該水閘立上管５の外周にシールパッキンを介して摺動自在に嵌合されたスライド管６と、該スライド管６の上端開口を閉塞するスライド管キャップ７とからなる。
【００１４】
前記水閘チーズ４の内部に一端を前記排水管接続部２の内壁に連結され、他端を前記立上管接続部３に開口された屈曲室８と、該屈曲室８に液密に接続される水位調整筒受け台座９と、該水位調整筒受け台座９に螺合される円筒状のねじ込み部材１０と、該ねじ込み部材１０の上部に形成された大径部１１と、該大径部１１の内側に嵌合される水位調整管１２と、該水位調整管１２の上部に外嵌固定された大径環状部材１３と、前記水位調整管１２の内部にスライド可能に挿入された同心円状の水位調整スライド短管１４と、該水位調整スライド短管１４の上部に外嵌固定された中径環状部材１５と、前記水位調整スライド短管１４の内部にスライド可能に挿入された円筒状の水位調整スライド中管１６と、該水位調整スライド中管１６の上部に外嵌固定された小径環状部材１７と、前記水位調整スライド中管１６の内部にスライド可能に挿入された円筒状の水位調整スライド長管１８と、該水位調整スライド長管１８の上部に外嵌固定された環状部材１９と、前記水位調整スライド長管１８の内部にスライド可能に挿入された水位調整スライド管２０と、該水位調整スライド管２０の上部に外嵌固定された出入り部材２１と、該出入り部材２１に用水の流出入孔部２２を設け、前記出入り部材２１には凹凸嵌合を行う嵌合凹部２３を設ける一方、操作桿２４には前記嵌合凹部２３に嵌合する多数個の嵌合凸部２５を軸方向に沿って設ける。
【００１５】
前記操作桿２４は、上端を前記スライド管６内の上部取付部材２６に嵌合させた操作桿固定枠２７により保持される。前記操作桿固定枠２７は、例えば棒形状を成し前記操作桿２４の上部に固定され、前記上部取付部材２６に前記操作桿固定枠２７を載せ、前記スライド管６に前記操作桿２４を固定することができる。
【００１６】
図２の一部切断断面図に示すように、水位調整管１２、水位調整スライド短管１４、水位調整スライド中管１６、水位調整スライド長管１８、水位調整スライド管２０をそれぞれ備え、テレスコープ式に伸縮自在に構成され、前記水閘チーズ４の屈曲室８に水位調整筒受け台座９を介してねじ込み部材１０を液密に接続する。
【００１７】
図３の断面図に示すように、前記水位調整管１２は、前記ねじ込み部材１０の大径部１１に内嵌合固定され、前記水位調整管１２の上部には大径環状部材１３が外嵌合固定される。前記大径環状部材１３は、内側に段部を形成して前記水位調整管１２の上部を支持して水位調整スライド短管１４の上下動を案内する。
【００１８】
前記水位調整スライド短管１４は、下端内側に第一環状部２８を嵌合形成して前記水位調整スライド短管１４を引き伸ばしたときに前記大径環状部材１３の段部に係合してストッパーとして機能し、前記水位調整スライド短管１４の上部に中径環状部材１５が外嵌合固定され、前記水位調整スライド短管１４の上部を支持して水位調整スライド中管１６の上下動を案内する。
【００１９】
前記水位調整スライド中管１６は、下端外側に第二環状部２９を外嵌合形成して前記水位調整スライド中管１６を引き伸ばしたときに前記中径環状部材１５の段部に係合してストッパーとして機能し、前記水位調整スライド中管１６の上部に小径環状部材１７が外嵌合固定され、前記水位調整スライド中管１６の上部を支持して水位調整スライド長管１８の上下動を案内する。
【００２０】
前記水位調整スライド長管１８は、下端外側に第三環状部３０を外嵌合形成して前記水位調整スライド長管１８を引き伸ばしたときに前記小径環状部材１７の段部に係合してストッパーとして機能し、前記水位調整スライド長管１８の上部に環状部材１９が外嵌合固定され、前記水位調整スライド長管１８の上部を支持して水位調整スライド管２０の上下動を案内する。
【００２１】
前記水位調整スライド管２０は、下端内側に第四環状部３１を内嵌合形成して前記水位調整スライド管２０を引き伸ばしたときに前記環状部材１９の段部に係合してストッパーとして機能し、前記水位調整スライド管２０の上部に出入り部材２１が内嵌合固定され、前記出入り部材２１の嵌合凹部２３と操作桿２４の嵌合凸部２５の係脱により、テレスコープ式に前記操作桿２４を上下調節自在に形成する。
【００２２】
次に、本考案の水位調整水閘の一実施例の操作動作を添付図面に基づいて、以下に説明する。
図１の断面図に示すように、スライド管６の上端、すなわちスライド管キャップ７が畦畔の地面に合うようにスライド管６を水閘立上管５上部外周に沿って摺動させて高さ調節を行う。
そして、湿田、乾田化の管理のためには、前記スライド管キャップ７を開け、前記スライド管６の上部取付部材２６から操作桿固定枠２７を外し、操作桿２４を引き上げて前記スライド管６の開口部位置まで出入り部材２１を引き上げる。
つぎに、前記操作桿固定枠２７により前記操作桿２４を所定角度回転させ、前記出入り部材２１に設けた嵌合凹部２３と操作桿２４の嵌合凸部２５の係合を外し、凹凸嵌合により操作桿２４の長さ調節を行い、再び前記操作桿固定枠２７を所定角度回転させ、前記操作桿２４を固定する。
【００２３】
その後、図２の一部切断断面図、図３の断面図に示すように、前記操作桿２４をスライド管６内に戻し、前記上部取付部材２６に操作桿固定枠２７を保持させ、前記スライド管キャップ７を閉蓋する。
これで、用水路からの水は、水閘チーズ４の排水管接続部２から流入し、屈曲室８を経てテレスコープ式の水位調整管１２、水位調整スライド短管１４、水位調整スライド中管１６、水位調整スライド長管１８、水位調整スライド管２０、出入り部材２１の流出入孔部２２から溢水してもう一方の排水管接続部２に排水される。
したがって、前記操作桿２４の長さ調節を行うことにより、前記出入り部材２１の流出入孔部２２位置を調節できるので、簡単に水位調節、すなわち湿田、乾田化の管理を行うことができる。
【００２４】
さらに、本考案の水位調整水閘の他の実施例を添付図面に基づいて、以下に説明する。
前述の水位調整水閘との違いは、出入り部材２１に設けた嵌合凹部２３と操作桿２４の嵌合凸部２５の凹凸嵌合に代えて、ネジ部３２及び袋ナット３３と操作桿３４のネジ締め付けにより無段階に長さ調節を図る点である。
図４の断面図において、水位調節水閘１は、水平方向の排水管接続部２と垂直方向の立上管接続部３を有するＴ字状の水閘チーズ４と、該水閘チーズ４の立上管接続部３に固定立設された水閘立上管５と、該水閘立上管５の外周にシールパッキンを介して摺動自在に嵌合されたスライド管６と、該スライド管６の上端開口を閉塞するスライド管キャップ７とからなる。
前記水閘チーズ４の内部に一端を前記排水管接続部２の内壁に連結され、他端を前記立上管接続部３に開口された屈曲室８と、該屈曲室８に液密に接続される水位調整筒受け台座９と、該水位調整筒受け台座９に螺合される円筒状のねじ込み部材１０と、該ねじ込み部材１０の上部に形成された大径部１１と、該大径部１１の内側に嵌合される水位調整管１２と、該水位調整管１２の上部に外嵌固定された大径環状部材１３と、前記水位調整管１２の内部にスライド可能に挿入された同心円状の水位調整スライド短管１４と、該水位調整スライド短管１４の上部に外嵌固定された中径環状部材１５と、前記水位調整スライド短管１４の内部にスライド可能に挿入された円筒状の水位調整スライド中管１６と、該水位調整スライド中管１６の上部に外嵌固定された小径環状部材１７と、前記水位調整スライド中管１６の内部にスライド可能に挿入された円筒状の水位調整スライド長管１８と、該水位調整スライド長管１８の上部に外嵌固定された環状部材１９と、前記水位調整スライド長管１８の内部にスライド可能に挿入された水位調整スライド管２０と、該水位調整スライド管２０の上部に外嵌固定された出入り部材２１と、該出入り部材２１に用水の流出入孔部２２を設け、棒状の操作桿３４の下端には大径のアンカー部Ｑを設ける。
そして、前記流出入孔部２２の上部に固定された円筒状のネジ部３２と、該ネジ部３２に螺合する袋ナット３３を設け、前記操作桿３４のアンカー部Ｑにより、前記水位調整スライド短管１４、水位調整スライド中管１６、水位調整スライド長管１８、水位調整スライド管２０をスライド式に引き出すことができる。
【００２５】
次に、本考案の水位調整水閘の他の実施例の操作動作について、以下に説明する。
図４の断面図に示すように、水位調整スライド短管１４、水位調整スライド中管１６、水位調整スライド長管１８、水位調整スライド管２０、出入り部材２１の流出入孔部２２が最下端位置に設定されている。
この状態から袋ナット３３を緩めてネジ部３２との螺合を解除すると、水位調整スライド管２０の上下動が可能となり、操作桿３４のアンカー部Ｑにより水位調整スライド管２０を最上端まで引き上げると、水位調整スライド管２０のストッパー部材（図示省略）が環状部材１９の段部に係合してテレスコープ式に水位調整スライド長管１８を引き上げる。
さらに、前記水位調整スライド長管１８を最上端まで引き上げると、水位調整スライド長管１８のストッパー部材（図示省略）が小径環状部材１７の段部に係合してテレスコープ式に水位調整スライド中管１６を引き上げる。
さらに引き上げると、水位調整スライド中管１６のストッパー部材（図示省略）が中径環状部材１５の段部に係合してテレスコープ式に水位調整スライド短管１４を引き上げる。
図５の一部切断正面図、図６の断面図に示すように、前記ネジ部３２及び袋ナット３３が操作桿３４で固定されると、流出入孔部２２および水位調整スライド短管１４、水位調整スライド中管１６、水位調整スライド長管１８、水位調整スライド管２０が引き伸ばされて流出入孔部２２が上位になり、水位は高く調整される。
なお、前記ネジ部３２及び袋ナット３３の締め付け位置を自由に選択することができ、それによって流出入孔部２２の高さ位置がコントロールできるので、水位調整を無段階に行うことができる。
【符号の説明】
【００２６】
１  水位調節水閘
２  排水管接続部
３  立上管接続部
４  水閘チーズ
５  水閘立上管
６  スライド管
７  スライド管キャップ
８  屈曲室
９  差し込み部材
１０  ねじ込み部材
１１  大径部
１２  水位調整管
１３  大径環状部材
１４  水位調整スライド短管
１５  中径環状部材
１６  水位調整スライド中管
１７  小径環状部材
１８  水位調整スライド長管
１９  環状部材
２０  水位調整スライド管
２１  出入り部材
２２  流出入孔部
２３  嵌合凹部
２４  操作桿
２５  嵌合凸部
２６  上部取付部材
２７  操作桿固定枠
２８  第一環状部
２９  第二環状部
３０  第三環状部
３１  第四環状部
３２  ネジ部
３３  袋ナット
３４  操作桿
【図１】
0003199537.tif 000003
【図２】
0003199537.tif 000004
【図３】
0003199537.tif 000005
【図４】
0003199537.tif 000006
【図５】
0003199537.tif 000007
【図６】
0003199537.tif 000008